(57)【要約】　　　（修正有）【課題】電子機器に設定されたハウスコードが正しいか又は誤っているかを迅速かつ確実に認識できるようなハウスコード設定装置を得られるようにする。【解決手段】ハウスコード設定装置１０は電子機器にハウスコード要求コマンドを送信して電子機器に設定されているハウスコードを受信する通信手段と、受信されたハウスコードが正しいか又は誤っているかを判定し結果を出力する判定手段と、判定結果が正しい場合は表示手段を点灯させ、誤っている場合は表示手段を点滅させるっ表示手段を備えている。【選択図】　　　　図１
2004112664.tif 000002
【特許請求の範囲】
【請求項１】
共通線によって接続された１つ又は複数の電子機器を通信によって制御する各システムを他のシステムと識別するために前記電子機器に固有のハウスコードを設定するハウスコード設定装置において、
前記電子機器にハウスコード要求コマンドを送信して当該電子機器に設定されているハウスコードを受信する通信手段と、
前記通信手段によって受信されたハウスコードが正しいか又は誤っているかを判定してその判定結果を出力する判定手段と、
前記判定手段によって出力された判定結果が正しい場合は所定の表示手段を点灯させ誤っている場合には前記表示手段を点滅させる表示制御手段と
を備えたハウスコード設定装置。
【請求項２】
判定手段は、通信手段によって受信されたハウスコードが誤っている場合には正しいハウスコード及びハウスコードの設定コマンドを通信手段によって当該電子機器に送信させ、当該正しいハウスコード及び設定コマンドの送信回数が所定値に達した後も前記通信手段によって受信されたハウスコードが誤っている場合に誤っている旨の判定結果を出力することを特徴とする請求項１記載のハウスコード設定装置。
【請求項３】
通信手段は、任意の電子機器に接続されたことを認識したときに当該電子機器にハウスコードの要求コマンドを送信して当該電子機器に設定されているハウスコードを受信することを特徴とする請求項１又は請求項２記載のハウスコード設定装置。
【請求項４】
通信手段は、直流の微小電力で駆動する専用線を介して接続された電子機器との間でハウスコード、要求コマンド及び設定コマンドの送受信を行うことを特徴とする請求項１から請求項３のうちのいずれか１項記載のハウスコード設定装置。
【請求項５】
通信手段は、電子機器に電力を供給する電力線を介して接続された電子機器との間でハウスコード、要求コマンド及び設定コマンドの送受信を行うことを特徴とする請求項１から請求項３のうちのいずれか１項記載のハウスコード設定装置。
【発明の詳細な説明】
【０００１】
【発明の属する技術分野】
この発明は、ハウスコード設定装置に関するものである。
【０００２】
【従来の技術】
家庭内の電子機器を制御するホームネットワークのシステムを実現する通信方法のひとつとして電力線重畳方式がある。この方式は、各家庭に電力を供給する電力線に制御信号を重畳して通信を行うことにより、各家庭の各システムにおける電子機器を制御することができる。この場合において、任意の家庭のシステムと他の家庭のシステムとを独立して制御するために、各家庭のシステムごとに固有のハウスコードが用いられる。すなわち、各家庭のシステムを制御するための制御信号のデータにそのシステムを識別するハウスコードを付加して、他の家庭のシステムと独立して制御することが可能になる。このため、システム内の各電子機器の内部にディップスイッチ等からなる設定スイッチを設けて、そのシステムに共通のハウスコードを設定することが行われていた。
【０００３】
しかしながら、システム内の各電子機器にディップスイッチを設けてハウスコードを設定する方法は、設定作業が煩雑であるとともに、設定ミスのおそれがあった。そこで、近年においては、電子機器にハウスコード設定装置を接続して、その電子機器にハウスコードを送信して設定する方法が行われている。例えば、特開平８−２２３０９２号公報においては、親機（ハウスコード設定装置に相当する）におけるハウスコード設定用スイッチを操作してハウスコードを設定した上で、電源を電源プラグから供給し、親機のハウスコード電文送出スイッチを操作すると、ハウスコードを含んだ電文が子機（電子機器に相当する）に伝送されるようになっている。
【０００４】
【発明が解決しようとする課題】
従来のハウスコード設定装置は以上のように構成されているので、電子機器に設定されているハウスコードが正しいものであるか否かを迅速かつ確実に判定することができないという課題があった。ハウスコード設定装置から送信したハウスコードが、接続線の不良やノイズの影響などによって、電子機器に誤ったハウスコードが設定されたとしても、その電子機器の誤動作が顕著に表れない限り、ハウスコードの誤りを発見することは困難であった。
また、従来のハウスコード設定装置は以上のように構成されているので、ハウスコード設定装置を電子機器に接続して設定スイッチを操作しなければならず、設定作業が煩雑であるという課題があった。例えば、上記特開平８−２２３０９２号公報においては、親機と子機とを接続した後に、親機のハウスコード電文送出スイッチを操作する必要があり、システム内の子機すなわち電子機器の数が多くなった場合には、煩雑な設定操作を強いられることになる。
【０００５】
この発明は上記のような課題を解決するためになされたもので、電子機器に設定されたハウスコードが正しいか又は誤っているかを迅速かつ確実に認識できるようなハウスコード設定装置を得ることを目的とする。
また、この発明は、ハウスコードの設定作業を軽減できるハウスコード設定装置を得ることを目的とする。
【０００６】
【課題を解決するための手段】
この発明に係るハウスコード設定装置は、電子機器にハウスコード要求コマンドを送信して当該電子機器に設定されているハウスコードを受信する通信手段と、通信手段によって受信されたハウスコードが正しいか又は誤っているかを判定してその判定結果を出力する判定手段と、判定手段によって出力された判定結果が正しい場合は所定の表示手段を点灯させ誤っている場合には表示手段を点滅させる表示制御手段とを備えた構成にしたものである。
【０００７】
この発明に係るハウスコード設定装置の判定手段は、通信手段によって受信されたハウスコードが誤っている場合には正しいハウスコード及びハウスコードの設定コマンドを通信手段によって当該電子機器に送信させ、当該正しいハウスコード及び設定コマンドの送信回数が所定値に達した後も通信手段によって受信されたハウスコードが誤っている場合に誤っている旨の判定結果を出力するように構成したものである。
【０００８】
この発明に係るハウスコード設定装置の通信手段は、任意の電子機器に接続されたことを認識したときに当該電子機器にハウスコードの要求コマンドを送信して当該電子機器に設定されているハウスコードを受信するように構成したものである。
【０００９】
この発明に係るハウスコード設定装置の通信手段は、直流の微小電力で駆動する専用線を介して接続された電子機器との間でハウスコード、要求コマンド及び設定コマンドの送受信を行うように構成したものである。
【００１０】
この発明に係るハウスコード設定装置の通信手段は、電子機器に電力を供給する電力線を介して接続された電子機器との間でハウスコード、要求コマンド及び設定コマンドの送受信を行うように構成したものである。
【００１１】
【発明の実施の形態】
以下、この発明の実施の一形態の構成について、図を参照しながら説明する。
実施の形態１．
図１は、実施の形態１におけるハウスコード設定装置を用いたシステムの構成を示すブロック図であり、図において、１０は可搬型のハウスコード設定装置、ハウスコード設定装置１０内において、１１はハウスコード設定装置１０を制御するコントローラ（通信手段、判定手段、表示制御手段）、１２は設定すべきハウスコード（複数ビットで構成されている）をあらかじめ記憶しているメモリ、１３はキースイッチ、１４はＬＥＤ（表示手段）、１５は通信処理部（通信手段）、１６は電池で構成された電源、１７は専用線受け口、２０はテレビ受信装置やその他の家電装置からなる電子機器、電子機器２０内において、２１は電子機器２０を制御するコントローラ、２２は電子機器２０のハウスコードを記憶するメモリ、２３は通信処理部、２４は専用線受け口、２５はテレビ機能部、２６は商用電力の供給を受ける電源、３０はハウスコード設定装置１０と電子機器２０とを接続して直流の微小電力で駆動する専用線である。
【００１２】
なお、この図には示していないが、テレビ機能部２５を具備した電子機器２０のほかに、他の種類の電子機器（空調機能部を具備した電子機器、火災検知機能を具備した電子機器等）がシステム内に設けられている。通常は、電話線等からなる制御線が専用線受け口２４に接続されており、システム内の各電子機器を外部から制御することができる。この場合において、システム内で送受信される制御データにそのシステム固有のハウスコードを含め、ハウスコードが一致する場合に相互通信が可能になることが電波法で規定されている。任意の電子機器にハウスコードを設定する際には、その電子機器の専用線受け口２４の制御線を取り外して、専用線３０を専用線受け口２４に接続し、その専用線３０によってハウスコード設定装置１０と通信を行う。
【００１３】
次に、動作について説明する。
図２は、ハウスコード設定装置１０のコントローラ１１によって実行される制御処理のフローチャートである。ハウスコード設定キーがオンされたか否かを判別し（ステップＳＴ１０１）、オンされたときは、ＬＥＤ１４が消灯中であるか否かを判別する（ステップＳＴ１０２）。ＬＥＤ１４が点灯中又は点滅中である場合には、ＬＥＤ１４を消灯する（ステップＳＴ１０３）。次に、メモリ１２に記憶されているハウスコードをレジスタＡにストアする（ステップＳＴ１０４）。次に、ハウスコード送信要求コマンドを電子機器２０に送信して（ステップＳＴ１０５）、電子機器２０からのハウスコードの受信を待つ（ステップＳＴ１０６）。
【００１４】
電子機器２０からハウスコードを受信したときは、その受信したハウスコードをレジスタＢにストアする（ステップＳＴ１０７）。そして、レジスタＡのハウスコードとレジスタＢのハウスコードとが一致するか否かを判別する（ステップＳＴ１０８）。ハウスコードが一致する場合には、ＬＥＤ１４を点灯して（ステップＳＴ１０９）、電子機器２０のハウスコードが正しいことを明示する。一方、ハウスコードが一致しない場合には、その不一致の回数をカウントする（ステップＳＴ１１０）。
【００１５】
電子機器２０が初めてシステムに組み込まれた場合には、電子機器２０のメモリ２２にはいかなる固有のハウスコードも記憶されていない。この場合には、例えば、すべてのビットが「０」又は「１」の初期データが工場出荷時に記憶されている。また、他のシステムから移管された場合には、移管前のシステムにおける固有のハウスコードが記憶されている。したがって、初めてシステムに組み込まれた場合、又は他のシステムから移管された場合には、ハウスコードは不一致となる。
【００１６】
不一致をカウントした場合に、その回数が所定値（例えば、１０回）に達してカウントアップしたか否かを判別し（ステップＳＴ１１１）、カウントアップしていない場合には、レジスタＡのハウスコード及びハウスコード設定コマンドを電子機器２０に送信する（ステップＳＴ１１２）。すなわち、このシステムの正しいハウスコードとともに、そのハウスコードを設定する旨の設定コマンドを電子機器２０に送信する。次に、ステップＳＴ１０６に移行して、電子機器２０からのハウスコードの受信を待つ。すなわち、正しいハウスコードが電子機器２０のメモリ２２にストアされたことを確認するために、メモリ２２にストアされているハウスコードの受信を待つ。
【００１７】
電子機器２０が初めてシステムに組み込まれた場合、又は他のシステムから移管された場合において、通信不良やノイズの影響等がなければ、ステップＳＴ１１２の処理によって、正しいハウスコードが電子機器２０のメモリ２２に設定される。したがって、ステップＳＴ１０７において受信してレジスタＢにストアしたハウスコードと、レジスタＡのハウスコードすなわち送信した正しいハウスコードとは一致することになる。この場合には、ステップＳＴ１０９においてＬＥＤ１４を点灯して、電子機器２０のハウスコードが正しいことを明示する。
【００１８】
ところが、通信不良やノイズの影響等がある場合には、送信した正しいハウスコードが電子機器２０のメモリ２２にストアされないこともある。このような場合には、電子機器２０のハウスコードと送信した正しいハウスコードとが一致しないので、ステップＳＴ１０８からステップＳＴ１１０に移行して、不一致回数をカウントする。そのカウント回数が所定値に達してカウントアップしたとき、すなわち、所定値の回数だけ正しいハウスコードを電子機器２０に送信しても、そのハウスコードが電子機器２０のメモリ２２にストアされない場合には、ＬＥＤ１４を点滅して（ステップＳＴ１１３）、電子機器２０のハウスコードが誤りであること、すなわちハウスコード設定が失敗したことを明示する。
なお、図２のフローチャートには示していないが、ＬＥＤ１４を点灯又は点滅した後に、不一致の回数のカウント値が「０」でない場合には、新たな設定処理Ｒに備えてカウント値を「０」にリセットする。
【００１９】
図３は、電子機器２０のコントローラ１１によって実行される制御処理のフローチャートである。まず、専用線受け口２４及び通信処理部２３を介して、外部からコマンドを受信したか否かを判別し（ステップＳＴ２０１）、コマンドを受信しない場合には通常処理を行う（ステップＳＴ２０２）。通常処理とは、テレビ機能部５４の通常動作を制御したり、電源の異常を監視する等の処理である。コマンドを受信したときは、そのコマンドがハウスコード設定装置１０からのハウスコード送信要求コマンドであるか否かを判別する（ステップＳＴ２０３）。ハウスコード送信要求コマンドである場合には、メモリ２２に記憶されているハウスコードを読み出して、専用線３０を介してハウスコード設定装置１０に送信する（ステップＳＴ２０４）。
【００２０】
受信したコマンドがハウスコード送信要求コマンドでない場合には、そのコマンドがハウスコード設定コマンドであるか否かを判別する（ステップＳＴ２０５）。ハウスコード設定コマンドである場合には、共に受信したハウスコード（正しいハウスコード）をメモリ２２にストアする（ステップＳＴ２０６）。そして、そのストアしたハウスコードを読み出して、専用線３０を介してハウスコード設定装置１０に送信する（ステップＳＴ２０４）。
【００２１】
受信したコマンドがハウスコード送信要求コマンド及びハウスコード設定コマンドのいずれでもない場合には、そのコマンドがテレビ制御コマンドであるか否かを判別する（ステップＳＴ２０７）。テレビ制御コマンドである場合には、そのコマンドに従ってテレビ制御を行う（ステップＳＴ２０８）。例えば、指定されたチャンネルの指定時間帯の番組をＶＴＲに録画する旨のテレビ制御コマンドを受信した場合には、そのコマンドに従って録画処理を行う。
【００２２】
以上のように、この実施の形態１によれば、電子機器２０に設定されているハウスコードが正しい場合はＬＥＤ１４を点灯させ、誤っている場合にはＬＥＤ１４を点滅させるので、電子機器２０に設定されたハウスコードが正しいか又は誤っているかを迅速かつ確実に認識できるという効果が得られる。
【００２３】
また、この実施の形態１によれば、ハウスコード設定装置１０のコントローラ１１は、通信処理部１５によって受信されたハウスコードが誤っている場合には正しいハウスコード及びハウスコード設定コマンドを電子機器２０に送信させ、その正しいハウスコード及び設定コマンドの送信回数が所定値に達した後も、電子機器２０から受信したハウスコードが誤っている場合に、誤っている旨の判定結果を出力する。したがって、偶発的なノイズの発生等によって、電子機器２０にハウスコードを設定できない場合でも、ハウスコード設定を繰り返すことにより、ハウスコード設定の確率を高くできるという効果が得られる。
【００２４】
また、この実施の形態１によれば、直流の微小電力で駆動する専用線３０を介して接続された電子機器との間でハウスコード、要求コマンド及び設定コマンドの送受信を行うので、電池１６で駆動可能な可搬型のハウスコード設定装置１０を実現できるという効果が得られる。
【００２５】
実施の形態２．
図４は、実施の形態２におけるハウスコード設定装置を用いたシステムの構成を示すブロック図であり、図において、４０はハウスコード設定装置、ハウスコード設定装置４０内において、４１はハウスコード設定装置４０を制御するコントローラ（通信手段、判定手段、表示制御手段）、４２は設定すべきハウスコードを記憶しているメモリ、４３はキースイッチ、４４はＬＥＤ（表示手段）、４５は通信処理部（通信手段）、４６は商用電力の供給を受ける電源、４７はブロッキングフィルタ、４８は電源レセプタクル、４９は電源プラグ、５０はテレビ受信装置やその他の家電装置からなる電子機器、電子機器５０内において、５１は電子機器５０を制御するコントローラ、５２は電子機器５０のハウスコードを記憶するメモリ、５３は通信処理部、５４はテレビ機能部、５５はハウスコード設定装置４０の電源レセプタクル４８又は商用電力の電源レセプタクルに接続可能な電源プラグ、５６は電源プラグ５５から得られる電力の供給を受ける電源である。
【００２６】
なお、この図には示していないが、実施の形態１の場合と同様に、テレビ機能部５４を具備した電子機器５０のほかに、他の種類の電子機器（空調機能部を具備した電子機器、火災検知機能を具備した電子機器等）がシステム内に設けられている。通常は、電源プラグ５５は商用電力線に接続されており、システム内の各電子機器を外部から制御することができる。この場合には、供給される商用電力に重畳して制御データが送受信される。さらに、実施の形態１と同様に、制御データにそのシステム固有のハウスコードを含め、ハウスコードが一致する場合に相互通信が可能になることが電波法で規定されている。任意の電子機器にハウスコードを設定する際には、その電子機器の電源プラグ５５を商用電力線から取り外して、ハウスコード設定装置４０の電源レセプタクル４８に接続して通信を行う。この場合において、他のシステム内の電子機器への影響を回避するために、ブロッキングフィルタ４７が設けられている。すなわち、ブロッキングフィルタ４７は、商用電力についてはほとんど損失なく通過させるが、ハウスコード及び各種のコマンドについては遮断する。
【００２７】
次に、動作について説明する。
まず、ハウスコード設定装置４０の電源プラグ４９を商用電力線に接続して、ブロッキングフィルタ４７を通過した電力を電源４６に供給し、ハウスコード設定装置４０を起動させる。また、電子機器５０の電源プラグ５５をハウスコード設定装置４０の電源レセプタクル４８に接続して、ハウスコード設定装置４０に供給されている電力を電子機器５０の電源５６に供給する。この結果、ハウスコード設定装置４０のコントローラ４１が制御処理を実行するとともに、電子機器５０のコントローラ５１が制御処理を実行する。コントローラ４１によって実行される制御処理は、図２に示したフローチャートと同じであり、コントローラ５１によって実行される制御処理は、図３に示したフローチャートと同じである。
【００２８】
以上のように、この実施の形態２によれば、実施の形態１の場合と同様に、電子機器５０に設定されているハウスコードが正しい場合はＬＥＤ４４を点灯させ、誤っている場合にはＬＥＤ４４を点滅させるので、電子機器５０に設定されたハウスコードが正しいか又は誤っているかを迅速かつ確実に認識できるという効果が得られる。
【００２９】
また、この実施の形態２によれば、実施の形態１の場合と同様に、ハウスコード設定装置４０のコントローラ４１は、通信処理部４５によって受信されたハウスコードが誤っている場合には正しいハウスコード及びハウスコード設定コマンドを電子機器５０に送信させ、その正しいハウスコード及び設定コマンドの送信回数が所定値に達した後も、電子機器５０から受信したハウスコードが誤っている場合に、誤っている旨の判定結果を出力する。したがって、偶発的なノイズの発生等によって、電子機器５０にハウスコードを設定できない場合でも、ハウスコード設定を繰り返すことにより、ハウスコード設定の確率を高くできるという効果が得られる。
【００３０】
また、この実施の形態２によれば、電子機器５０に電力を供給する電力線を介して接続された電子機器５０との間でハウスコード、要求コマンド及び設定コマンドの送受信を行うので、電力供給に重畳した合理的な送受信が電子機器５０との間で可能になるという効果が得られる。
【００３１】
実施の形態３．
実施の形態３におけるハウスコード設定装置の構成は、実施の形態１又は実施の形態２におけるハウスコード設定装置の構成と同じであるので、図面及び説明は省略する。実施の形態３においては、ハウスコード設定装置のコントローラの制御処理が実施の形態１及び実施の形態２における制御処理と異なっている。
【００３２】
次に、動作について説明する。
図５は、ハウスコード設定装置のコントローラによって実行される制御処理のフローチャートである。このフローの最初のステップＳＴ３０１の処理を除く他のステップの各処理は、図２のフローの各処理と同じである。ステップＳＴ３０１において、ハウスコード設定装置のコントローラは電子機器と接続されているか否かを判別する。電子機器と接続されていると判別したときは、キースイッチの操作を必要とすることなく、自動的にステップＳＴ１０２以降の各ステップの処理を実行する。すなわち、電子機器にハウスコードの要求コマンドを送信して、その電子機器に設定されているハウスコードを受信する。
【００３３】
例えば、図１における実施の形態１の場合は、図６に示すような構成が考えられる。すなわち、ハウスコード設定装置１０と電子機器２０とを接続する専用線３０の構成において、ハウスコード等を授受する信号線３０ａのほかに、接続を検出するための検出線３０ｂを設けて、抵抗ＲによってプルアップされたＰ点の電位をコントローラ１１が検出して接続の有無を判定する。この例では、Ｐ点の電位がハイレベルであれば未接続、ローレベルであれば接続済みと判定する。
また、図４における実施の形態２の場合には、図７に示すような構成が考えられる。図７において、６１はブロッキングフィルタ４７と通信処理部４５との間に設けられた負荷電流検出部である。コントローラ４１は、この負荷電流検出部６１によって電子機器５０に流れ込む負荷電流を検出して接続の有無を判定する。すなわち、所定の負荷電流を検出しない場合は未接続、検出した場合は接続済みと判定する。
【００３４】
以上のように、この実施の形態３によれば、任意の電子機器に接続されたことを認識したときに、その電子機器にハウスコードの要求コマンドを送信して、その電子機器に設定されているハウスコードを受信するので、ハウスコードの設定作業を軽減できるという効果が得られる。
【００３５】
【発明の効果】
以上のように、この発明によれば、ハウスコード設定装置を、電子機器にハウスコード要求コマンドを送信して当該電子機器に設定されているハウスコードを受信する通信手段と、通信手段によって受信されたハウスコードが正しいか又は誤っているかを判定してその判定結果を出力する判定手段と、判定手段によって出力された判定結果が正しい場合は所定の表示手段を点灯させ誤っている場合には表示手段を点滅させる表示制御手段とを備えた構成にしたので、電子機器に設定されたハウスコードが正しいか又は誤っているかを迅速かつ確実に認識できるという効果がある。
【００３６】
この発明によれば、ハウスコード設定装置の判定手段を、通信手段によって受信されたハウスコードが誤っている場合には正しいハウスコード及びハウスコードの設定コマンドを通信手段によって当該電子機器に送信させ、当該正しいハウスコード及び設定コマンドの送信回数が所定値に達した後も通信手段によって受信されたハウスコードが誤っている場合に誤っている旨の判定結果を出力するように構成したので、偶発的なノイズの発生等によって、電子機器にハウスコードを設定できない場合でも、ハウスコード設定を繰り返すことにより、ハウスコード設定の確率を高くできるという効果がある。
【００３７】
この発明によれば、ハウスコード設定装置の通信手段を、任意の電子機器に接続されたことを認識したときに当該電子機器にハウスコードの要求コマンドを送信して当該電子機器に設定されているハウスコードを受信するように構成したので、ハウスコードの設定作業を軽減できるという効果がある。
【００３８】
この発明によれば、ハウスコード設定装置の通信手段を、直流の微小電力で駆動する専用線を介して接続された電子機器との間でハウスコード、要求コマンド及び設定コマンドの送受信を行うように構成したので、電池で駆動可能な可搬型のハウスコード設定装置を実現できるという効果がある。
【００３９】
この発明によれば、ハウスコード設定装置の通信手段を、電子機器に電力を供給する電力線を介して接続された電子機器との間でハウスコード、要求コマンド及び設定コマンドの送受信を行うように構成したので、電力供給に重畳した合理的な送受信が電子機器との間で可能になるという効果がある。
【図面の簡単な説明】
【図１】実施の形態１におけるハウスコード設定装置を用いたシステムの構成を示すブロック図である。
【図２】実施の形態１におけるハウスコード設定装置のコントローラによって実行される制御処理のフローチャートである。
【図３】実施の形態１における電子機器のコントローラによって実行される制御処理のフローチャートである。
【図４】実施の形態２におけるハウスコード設定装置を用いたシステムの構成を示すブロック図である。
【図５】実施の形態３におけるハウスコード設定装置のコントローラによって実行される制御処理のフローチャートである。
【図６】実施の形態３におけるハウスコード設定装置と電子機器との接続する専用線の構成を示す図である。
【図７】実施の形態３におけるハウスコード設定装置に接続された電子機器に流れ込む負荷電流を検出する構成を示す図である。
【符号の説明】
１０，４０　ハウスコード設定装置、１１，４１　ハウスコード設定装置のコントローラ（通信手段、判定手段、表示制御手段）、１２，２２，４２，５２　メモリ、１３，４３　キースイッチ、１４，４４　ＬＥＤ（表示手段）、１５，４５　ハウスコード設定装置の通信処理部（通信手段）、１６，２６，４６，５６　電源、１７，２４　専用線受け口、２０，５０　電子機器、２１，５１　電子機器のコントローラ、２３，５３　電子機器の通信処理部、２５，５４　テレビ機能部、３０　専用線、４８　電源レセプタクル、５５　電源プラグ、６１　負荷電流検出部。
【図１】
2004112664.tif 000003
【図２】
2004112664.tif 000004
【図３】
2004112664.tif 000005
【図４】
2004112664.tif 000006
【図５】
2004112664.tif 000007
【図６】
2004112664.tif 000008
【図７】
2004112664.tif 000009